(57)【特許請求の範囲】
【請求項１】
モーター本体と、前記モーター本体から突出した回転軸とを含む駆動モーターと、
光が照射される周面を有し、前記回転軸における軸方向の一方側の端部に回転一体に設けられるポリゴンミラーであって、前記回転軸回りに回転しながら前記周面に照射される光を偏向し、所定の被照射体に対して走査するポリゴンミラーと、
前記ポリゴンミラー及び前記駆動モーターを覆うカバー体と、
前記カバー体の内部温度を検出する温度検出部と、を備え、
前記カバー体は、
前記ポリゴンミラーを前記軸方向の前記一方側から覆い、前記ポリゴンミラーが配設される第１空間を画定する第１カバー部であって、前記ポリゴンミラーの前記周面に対向して開口した第１開口部が形成された第１カバー部と、
前記第１カバー部の前記軸方向の前記一方側とは反対の他方側において、前記第１空間と連通し前記駆動モーターが配設される第２空間を画定する第２カバー部であって、前記モーター本体に対向して開口した第２開口部が形成された第２カバー部と、
前記第２空間と連通する第３空間を画定する第３カバー部と、を含み、
前記温度検出部は、前記第３空間を塞ぐように前記第３カバー部に装着される、光偏向装置。
【請求項２】
前記第２カバー部は、
前記第１カバー部から、前記軸方向と直交する第１方向の一方側に延在する第１延在部と、
前記第１カバー部から、前記軸方向及び前記第１方向の両方向と直交する第２方向に延在する第２延在部と、を含み、
前記第２開口部は、前記第１延在部と前記第２延在部とにわたって形成され、
前記第３カバー部は、前記第２カバー部における前記第１延在部の前記軸方向の前記一方側に配置されて、前記第２空間と連通する前記第３空間を画定する、請求項１に記載の光偏向装置。
【請求項３】
前記第２カバー部において、前記第２延在部は、前記第１カバー部から前記第２方向の一方側に延びる第１部分と、前記第１カバー部から前記第２方向の前記一方側とは反対の他方側に延びる第２部分と、を有し、
前記第２開口部は、前記第１延在部と、前記第２延在部における前記第１部分とにわたって形成され、
前記第２カバー部には、前記第１延在部と、前記第２延在部における前記第２部分とにわたって、前記モーター本体に対向して開口した第３開口部が形成され、
前記軸方向から見た平面視において、前記温度検出部は、前記第２開口部と前記第３開口部との間に位置する、請求項２に記載の光偏向装置。
【請求項４】
前記第２カバー部の前記第１延在部には、前記軸方向の前記一方側に開口した第４開口部が形成され、
前記第３カバー部は、前記第４開口部を囲繞するように当該第４開口部の開口端縁から前記軸方向の前記一方側に向かって延びる筒状に形成されて、前記軸方向の前記一方側の端部に第５開口部を有し、前記第４開口部を介して前記第２空間と連通する前記第３空間を画定するように構成され、
前記温度検出部は、前記第５開口部を塞ぐように前記第３カバー部に装着される、請求項２または３に記載の光偏向装置。
【請求項５】
前記温度検出部は、熱伝導性を有する板状の基体と、前記基体の一主面に取り付けられる温度検出センサとを含み、前記温度検出センサが前記第３空間内に配置されるように、前記第３カバー部に装着される、請求項１〜４のいずれか１項に記載の光偏向装置。
【請求項６】
請求項１〜５のいずれか１項に記載の光偏向装置と、
前記ポリゴンミラーの前記周面に光を照射する光源と、
前記温度検出部によって検出された温度データに基づいて、前記ポリゴンミラーによる前記被照射体に対する走査の位置ずれ補正を行う補正部と、を備える光走査装置。
【請求項７】
前記光源の光照射動作を制御する光源制御部と、
前記ポリゴンミラーの前記駆動モーターによる回転動作を制御する回転駆動制御部と、
前記温度検出部による温度検出動作を連続的に実行させる温度検出制御部と、を更に備え、
前記補正部は、前記温度検出制御部に制御された前記温度検出部によって、所定の検出期間において検出された温度データに基づいて、前記位置ずれ補正を行うよう構成され、
前記検出期間は、前記回転駆動制御部の制御によって前記ポリゴンミラーの回転が開始されて所定の回転速度に到達した第１時点から、前記光源制御部の制御によって前記光源の光照射動作が開始される直前の第２時点までの期間を含む、請求項６に記載の光走査装置。
【請求項８】
請求項６または７に記載の光走査装置と、
前記ポリゴンミラーによって走査され、表面に静電潜像が形成される前記被照射体としての像担持体と、を備える画像形成装置。
【発明の詳細な説明】
【技術分野】
【０００１】
本発明は、ポリゴンミラーを有する光偏向装置及びこれを備えた光走査装置並びに画像形成装置に関する。
【背景技術】
【０００２】
カラープリンター等の画像形成装置に用いられる光走査装置として、特許文献１に記載されているような装置が知られている。この技術では、光走査装置は、光源からの光を偏向するポリゴンミラーを含む光偏向装置と、ポリゴンミラーにて偏向された光を感光体ドラム上に結像させる結像レンズと、温度センサと、ハウジングとを備える。ハウジングは、結像レンズと光偏向装置とをそれぞれ分離して収容する空間部を有する。そして、温度センサは、結像レンズが配置された空間部内にポリゴンミラーの放熱板に近接して取り付けられている。
【０００３】
上記の従来技術では、ハウジングにおける、光偏向装置が収容された空間部とは分離された空間部に取り付けられた温度センサにてハウジングの温度を検出する。この温度センサによる検出温度に基づいて、ポリゴンミラーを回転させる駆動モーターの発熱によるハウジングの変形に起因するポリゴンミラーの感光体ドラムに対する走査の位置ずれ量を予測し、当該予測量に応じてポリゴンミラーによる走査タイミングを補正するようにしている。上記の従来技術では、温度センサの検出温度に基づきポリゴンミラーによる走査タイミングを補正することによって、ポリゴンミラーの走査により感光体ドラムに形成された静電潜像に応じたカラー画像に、色ずれが発生することを抑止するようにしている。
【先行技術文献】
【特許文献】
【０００４】
【特許文献１】特開２００８−１３９３４８号公報
【発明の概要】
【発明が解決しようとする課題】
【０００５】
しかしながら、上記の従来技術では、ポリゴンミラーを回転させる駆動モーターから発せられた熱は放熱板に伝わり、その放熱板の熱が周囲の空気を介して温度センサが取り付けられたハウジングの壁部に伝わり、そして壁部の熱が温度センサに伝わって、ようやくハウジングの温度変化が検出される。温度センサが取り付けられたハウジングの壁部は、光偏向装置が収容された空間部とは分離された、結像レンズが配置された空間部を画定する壁部であるので、駆動モーターの発熱により光偏向装置が収容された空間部に温度変化が発生する時点と、温度センサにてハウジングの温度変化が検出される時点とで、時間差が生じることになる。すなわち、上記の従来技術は、駆動モーターの発熱による駆動モーター周囲の温度変化に対し、温度センサによる温度検出の応答性が低いという問題がある。
【０００６】
駆動モーターの発熱により光偏向装置が収容された空間部に温度変化が発生すると、ハウジング全体が変形し、このハウジングの変形に起因してポリゴンミラーの感光体ドラムに対する走査の位置ずれが発生する。この場合、上記の従来技術では、駆動モーターの発熱による駆動モーター周囲の温度変化に対し、温度センサによる温度検出の応答性が低いので、温度センサにてハウジングの温度変化が検出される以前にポリゴンミラーの感光体ドラムに対する走査の位置ずれが発生し、効果的な位置ずれ補正を行うことができない。
【０００７】
本発明の目的は、ポリゴンミラーを回転させる駆動モーターの発熱による駆動モーター周囲の温度変化を検出可能に構成される光偏向装置において、温度変化の検出精度の低下を招来することなく、温度変化の検出の高い応答性を実現できる光偏向装置、及びこれを備えた光走査装置並びに画像形成装置を提供することにある。
【課題を解決するための手段】
【０００８】
本発明の一の局面に係る光偏向装置は、モーター本体と、前記モーター本体から突出した回転軸とを含む駆動モーターと、光が照射される周面を有し、前記回転軸における軸方向の一方側の端部に回転一体に設けられるポリゴンミラーであって、前記回転軸回りに回転しながら前記周面に照射される光を偏向し、所定の被照射体に対して走査するポリゴンミラーと、前記ポリゴンミラー及び前記駆動モーターを覆うカバー体と、前記カバー体の内部温度を検出する温度検出部と、を備える。前記カバー体は、前記ポリゴンミラーを前記軸方向の前記一方側から覆い、前記ポリゴンミラーが配設される第１空間を画定する第１カバー部であって、前記ポリゴンミラーの前記周面に対向して開口した第１開口部が形成された第１カバー部と、前記第１カバー部の前記軸方向の前記一方側とは反対の他方側において、前記第１空間と連通し前記駆動モーターが配設される第２空間を画定する第２カバー部であって、前記モーター本体に対向して開口した第２開口部が形成された第２カバー部と、前記第２空間と連通する第３空間を画定する第３カバー部と、を含む。そして、前記温度検出部は、前記第３空間を塞ぐように前記第３カバー部に装着される。
【０００９】
この光偏向装置によれば、ポリゴンミラー及び駆動モーターは、カバー体によって覆われており、このカバー体の内部温度を温度検出部にて検出するようになっている。カバー体は、ポリゴンミラーが配設される第１空間を画定する第１カバー部と、第１空間と連通し駆動モーターが配設される第２空間を画定する第２カバー部と、第２空間と連通する第３空間を画定する第３カバー部とを含む。そして、温度検出部は、第３空間を塞ぐように第３カバー部に装着されている。温度検出部が装着される第３カバー部の第３空間は、駆動モーターが配設される第２空間に連通しているので、駆動モーターの発熱によって第２空間内の温度変化が発生する時点と、温度検出部にて第３空間内の温度変化が検出される時点とで、時間差が生じることが抑止される。このため、駆動モーターの発熱による駆動モーター周囲の温度変化の検出の高い応答性を実現できる。
【００１０】
また、カバー体の第１カバー部には第１開口部が形成され、第２カバー部には第２開口部が形成されている。光偏向装置においてポリゴンミラーが回転すると、カバー体の外側にある空気が第１開口部及び第２開口部のいずれか一方の開口部からカバー体の内部に流入し、他方の開口部からカバー体の外部に排出される。すなわち、ポリゴンミラーの回転により生じる気流は、カバー体の内部において、第１カバー部により画定される第１空間、第２カバー部により画定される第２空間、及び第３カバー部により画定される第２空間と連通する第３空間を通過することになる。ここで、第３空間を塞ぐように温度検出部が第３カバー部に装着されているので、ポリゴンミラーの回転により生じる気流は、第１開口部が形成された第１カバー部の第１空間と、第２開口部が形成された第２カバー部の第２空間との間を主として通過し、第３カバー部の第３空間には流速の遅い微弱な気流が通過する。このように、第３カバー部の第３空間には、流速が過度に速すぎることのない微弱な気流が通過し、且つ第３空間内に気体の滞留が生じない。このため、第３カバー部に装着された温度検出部によって検出されるカバー体の内部温度の検出精度は、高精度に維持される。
【００１１】
上記の光偏向装置において、前記第２カバー部は、前記第１カバー部から、前記軸方向と直交する第１方向の一方側に延在する第１延在部と、前記第１カバー部から、前記軸方向及び前記第１方向の両方向と直交する第２方向に延在する第２延在部と、を含み、前記第２開口部は、前記第１延在部と前記第２延在部とにわたって形成され、前記第３カバー部は、前記第２カバー部における前記第１延在部の前記軸方向の前記一方側に配置されて、前記第２空間と連通する前記第３空間を画定することが望ましい。
【００１２】
この光偏向装置によれば、ポリゴンミラーの回転により生じる気流が通過する第２開口部は、第２カバー部の第１延在部と第２延在部とにわたって形成されている。そして、温度検出部が装着される第３カバー部は、第２カバー部の第１延在部上に配置されている。このような構成によって、駆動モーターの発熱による駆動モーター周囲の温度変化を、温度検出部により高精度に検出しつつ、当該温度変化の検出の高い応答性を実現できる。
【００１３】
上記の光偏向装置では、前記第２カバー部において、前記第２延在部は、前記第１カバー部から前記第２方向の一方側に延びる第１部分と、前記第１カバー部から前記第２方向の前記一方側とは反対の他方側に延びる第２部分と、を有し、前記第２開口部は、前記第１延在部と、前記第２延在部における前記第１部分とにわたって形成され、前記第２カバー部には、前記第１延在部と、前記第２延在部における前記第２部分とにわたって、前記モーター本体に対向して開口した第３開口部が形成され、前記軸方向から見た平面視において、前記温度検出部は、前記第２開口部と前記第３開口部との間に位置することが望ましい。
【００１４】
この光偏向装置によれば、第２カバー部には、ポリゴンミラーの回転により生じる気流が通過する開口部として、第２開口部以外に、第３開口部が形成されている。このような構成の光偏向装置では、第１カバー部に形成された第１開口部からの第２カバー部への気流、または第１開口部への第２カバー部からの気流は、第２開口部及び第３開口部を通過することになる。そして、第３カバー部は第２カバー部の第１延在部上に配置され、この第３カバー部に装着された温度検出部は第２開口部と第３開口部との間に配置されている。このような構成によって、ポリゴンミラーの回転により生じる気流が第２カバー部の第２開口部及び第３開口部を通過するときに、流速が過度に速すぎることのない微弱な気流が温度検出部に確実に接触する。これによって、温度検出部によって検出されるカバー体の内部温度の検出精度は、より確実に高精度に維持される。
【００１５】
上記の光偏向装置において、前記第２カバー部の前記第１延在部には、前記軸方向の前記一方側に開口した第４開口部が形成され、前記第３カバー部は、前記第４開口部を囲繞するように当該第４開口部の開口端縁から前記軸方向の前記一方側に向かって延びる筒状に形成されて、前記軸方向の前記一方側の端部に第５開口部を有し、前記第４開口部を介して前記第２空間と連通する前記第３空間を画定するように構成され、前記温度検出部は、前記第５開口部を塞ぐように前記第３カバー部に装着されることが望ましい。
【００１６】
この光偏向装置によれば、第３カバー部は、第２カバー部の第１延在部における第４開口部を囲繞する筒状に形成されて、第５開口部を有する。そして、温度検出部は、第５開口部を塞ぐように第３カバー部に装着されている。このような構成によって、駆動モーターの発熱による駆動モーター周囲の温度変化を、温度検出部により高精度に検出しつつ、当該温度変化の検出の高い応答性を実現できる。
【００１７】
上記の光偏向装置において、前記温度検出部は、熱伝導性を有する板状の基体と、前記基体の一主面に取り付けられる温度検出センサとを含み、前記温度検出センサが前記第３空間内に配置されるように、前記第３カバー部に装着されることが望ましい。このような構成によって、駆動モーターの発熱による駆動モーター周囲の温度変化を、基体に取り付けられた温度検出センサにより高精度に検出しつつ、当該温度変化の検出の高い応答性を実現できる。
【００１８】
本発明の他の局面に係る光走査装置は、上記の光偏向装置と、前記ポリゴンミラーの前記周面に光を照射する光源と、前記温度検出部によって検出された温度データに基づいて、前記ポリゴンミラーによる前記被照射体に対する走査の位置ずれ補正を行う補正部と、を備える。
【００１９】
この光走査装置によれば、駆動モーターの発熱による駆動モーター周囲の温度変化を、温度検出部により高精度に検出しつつ、当該温度変化の検出の高い応答性を実現できる。このため、温度検出部にて駆動モーター周囲の温度変化が検出される以前にポリゴンミラーの被照射体に対する走査の位置ずれが発生することが抑止され、温度検出部により検出された温度データに基づき、補正部によって効果的な位置ずれ補正を行うことができる。
【００２０】
上記の光走査装置は、前記光源の光照射動作を制御する光源制御部と、前記ポリゴンミラーの前記駆動モーターによる回転動作を制御する回転駆動制御部と、前記温度検出部による温度検出動作を連続的に実行させる温度検出制御部と、を更に備える。前記補正部は、前記温度検出制御部に制御された前記温度検出部によって、所定の検出期間において検出された温度データに基づいて、前記位置ずれ補正を行うよう構成され、前記検出期間は、前記回転駆動制御部の制御によって前記ポリゴンミラーの回転が開始されて所定の回転速度に到達した第１時点から、前記光源制御部の制御によって前記光源の光照射動作が開始される直前の第２時点までの期間を含むことが望ましい。
【００２１】
この光走査装置によれば、補正部は、上記の所定の検出期間において温度検出部によって検出された温度データに基づいて、ポリゴンミラーの被照射体に対する走査の位置ずれ補正を行う。上記の所定の検出期間においては、ポリゴンミラーが所定の回転速度に到達した状態で定格回転しているので、ポリゴンミラーの回転により生じる気流が安定した状態となっている。このため、温度検出部が装着された第３カバー部の第３空間は、流速が過度に速すぎることのない微弱な気流が安定して通過した状態となる。この結果、温度検出部によって検出されるカバー体の内部温度の検出精度は、高精度なものとなる。従って、補正部は、温度検出部によって検出された高精度な温度データに基づいて、ポリゴンミラーの被照射体に対する走査の位置ずれ補正を行うことができる。
【００２２】
本発明の他の局面に係る画像形成装置は、上記の光走査装置と、前記ポリゴンミラーによって走査され、表面に静電潜像が形成される前記被照射体としての像担持体と、を備える。
【００２３】
この画像形成装置によれば、温度検出部により検出された温度データに基づき、ポリゴンミラーの像担持体に対する走査の位置ずれ補正を効果的に実施可能な光走査装置を備えた画像形成装置が提供される。従って、ポリゴンミラーの走査により像担持体に形成された静電潜像に応じたカラー画像に、色ずれが発生することを抑止することができる。
【発明の効果】
【００２４】
本発明によれば、ポリゴンミラーを回転させる駆動モーターの発熱による駆動モーター周囲の温度変化を検出可能に構成される光偏向装置において、温度変化の検出精度の低下を招来することなく、温度変化の検出の高い応答性を実現できる光偏向装置、及びこれを備えた光走査装置並びに画像形成装置を提供することができる。
【図面の簡単な説明】
【００２５】
【図１】本発明の一実施形態に係る画像形成装置の概略構成を示す断面図である。
【図２】本発明の一実施形態に係る光走査装置の概略構成を示す斜視図である。
【図３】光走査装置の副走査断面の構成を示す光路図である。
【図４】光走査装置の主走査断面の構成を示す光路図である。
【図５】本発明の一実施形態に係る光偏向装置の概略構成を示す斜視図である。
【図６】光偏向装置の断面図である。
【図７】光偏向装置を軸方向の一方側から見た図である。
【図８】光偏向装置を軸方向の他方側から見た図である。
【図９】光偏向装置においてカバー体を取り除いた状態を示す斜視図である。
【図１０】光偏向装置を基板の長手方向の他方側から見た図である。
【図１１】光偏向装置を基板の長手方向の一方側から見た図である。
【図１２】光偏向装置を第３方向の一方側から見た図である。
【図１３】光偏向装置における気流の様子を示す図である。
【図１４】変形例の光偏向装置における気流の様子を示す図である。
【図１５】光走査装置のブロック図である。
【図１６】温度検出センサによる検出温度と色ずれ補正量との関係を示すグラフである。
【発明を実施するための形態】
【００２６】
以下、本発明の一実施形態に係る光偏向装置及びこれを備えた光走査装置並びに画像形成装置について図面に基づいて説明する。図１は、本発明の一実施形態に係る画像形成装置１の概略構成を示す断面図である。画像形成装置１は、タンデム型のカラープリンターであって、略直方体のハウジングからなる本体ハウジング１０を含む。なお、画像形成装置１は、フルカラーの複写機や複合機であっても良い。
【００２７】
本体ハウジング１０は、シートに対して画像形成処理を行う複数の処理ユニットを内部に収容する。本実施形態では、処理ユニットとして、画像形成ユニット２Ｙ、２Ｃ、２Ｍ、２Ｂｋ、光走査装置２３、中間転写ユニット２８及び定着装置３０を含む。本体ハウジング１０の上面には排紙トレイ１１が備えられている。排紙トレイ１１に対向して、シート排出口１２が開口されている。本体ハウジング１０の側壁には、手差し給紙トレイ１３が開閉自在に取り付けられている。本体ハウジング１０の下部には、画像形成処理が施されるシートを収容する給紙カセット１４が、着脱自在に装着されている。
【００２８】
画像形成ユニット２Ｙ、２Ｃ、２Ｍ、２Ｂｋは、イエロー（Ｙ）、シアン（Ｃ）、マゼンタ（Ｍ）、ブラック（Ｂｋ）の各色のトナー像を、コンピューター等の外部機器から伝送された画像情報に基づき形成するもので、水平方向に所定の間隔でタンデムに配置されている。各画像形成ユニット２Ｙ、２Ｃ、２Ｍ、２Ｂｋは、静電潜像及びトナー像を担持する円筒体形状からなる感光体ドラム２１（像担持体）、感光体ドラム２１のドラム周面を帯電させる帯電器２２、前記静電潜像に現像剤を付着させてトナー像を形成する現像装置２４、この現像装置２４に各色のトナーを供給するイエロー、シアン、マゼンタ、ブラックの各トナーコンテナ２５Ｙ、２５Ｃ、２５Ｍ、２５Ｂｋ、感光体ドラム２１上に形成されたトナー像を一次転写させる一次転写ローラー２６、及び感光体ドラム２１の周面の残留トナーを除去するクリーニング装置２７を含む。
【００２９】
なお、以下の説明において、各画像形成ユニット２Ｙ、２Ｃ、２Ｍ、２Ｂｋに備えられる感光体ドラム２１を特に説明する場合には、画像形成ユニット２Ｙに備えられる感光体ドラムを「第１感光体ドラム２１Ｙ」と称し、画像形成ユニット２Ｃに備えられる感光体ドラムを「第２感光体ドラム２１Ｃ」と称し、画像形成ユニット２Ｍに備えられる感光体ドラムを「第３感光体ドラム２１Ｍ」と称し、画像形成ユニット２Ｂｋに備えられる感光体ドラムを「第４感光体ドラム２１Ｂｋ」と称する。
【００３０】
光走査装置２３は、各色の感光体ドラム２１のドラム周面上に静電潜像を形成する。本実施形態の光走査装置２３は、各色用に準備された複数の光源を有する入射光学系と、これら光源から発せられた光線を偏向する光偏向装置と、光偏向装置により偏向された光線を各色の感光体ドラム２１のドラム周面に結像及び走査させる結像光学系とを含む。この光走査装置２３については、後記で詳述する。
【００３１】
中間転写ユニット２８は、感光体ドラム２１上に形成されたトナー像を一次転写させる。中間転写ユニット２８は、各感光体ドラム２１のドラム周面に接触しつつ周回する転写ベルト２８１と、転写ベルト２８１が架け渡される駆動ローラー２８２および従動ローラー２８３とを含む。転写ベルト２８１は、一次転写ローラー２６によって各感光体ドラム２１のドラム周面に押し付けられている。各色の感光体ドラム２１上のトナー像は転写ベルト２８１上の同一箇所に重ね合わせて一次転写される。これにより、フルカラーのトナー像が転写ベルト２８１上に形成される。
【００３２】
駆動ローラー２８２に対向して、転写ベルト２８１を挟んで二次転写ニップ部Ｔを形成する二次転写ローラー２９が配置されている。転写ベルト２８１上のフルカラートナー像は、前記二次転写ニップ部Ｔにおいてシート上に二次転写される。シート上に転写されずに転写ベルト２８１の周面に残留したトナーは、従動ローラー２８３に対向して配置されたベルトクリーニング装置２８４によって回収される。
【００３３】
定着装置３０は、熱源が内蔵された定着ローラー３１と、定着ローラー３１と共に定着ニップ部Ｎを形成する加圧ローラー３２とを含む。定着装置３０は、二次転写ニップ部Ｔにおいてトナー像が転写されたシートを、定着ニップ部Ｎにおいて加熱及び加圧することで、トナーをシートに溶着させる定着処理を施す。定着処理が施されたシートは、シート排出口１２から排紙トレイ１１に向けて排出される。
【００３４】
本体ハウジング１０の内部には、シートを搬送するためのシート搬送路が設けられている。シート搬送路は、本体ハウジング１０の下部付近から上部付近まで、二次転写ニップ部Ｔ及び定着装置３０を経由して、上下方向に延びるメイン搬送路Ｐ１を含む。メイン搬送路Ｐ１の下流端は、シート排出口１２に接続されている。両面印刷の際にシートを反転搬送する反転搬送路Ｐ２が、メイン搬送路Ｐ１の最下流端から上流端付近まで延設されている。また、手差しトレイ１３からメイン搬送路Ｐ１に至る手差しシート用搬送路Ｐ３が、給紙カセット１４の上方に配置されている。
【００３５】
給紙カセット１４は、シートの束を収容するシート収容部を備える。給紙カセット１４の右上付近には、シート束の最上層のシートを１枚ずつ繰り出すピックアップローラー１５１と、そのシートをメイン搬送路Ｐ１の上流端に送り出す給紙ローラー対１５２とが備えられている。手差しトレイ１３に載置されたシートも、手差しシート用搬送路Ｐ３を通して、メイン搬送路Ｐ１の上流端に送り出される。メイン搬送路Ｐ１の二次転写ニップ部Ｔよりも上流側には、所定のタイミングでシートを転写ニップ部に送り出すレジストローラー対１５３が配置されている。
【００３６】
シートに片面印刷（画像形成）処理が行われる場合、給紙カセット１４又は手差しトレイ１３からシートがメイン搬送路Ｐ１に送り出され、該シートに二次転写ニップ部Ｔにおいてトナー像の転写処理が、定着装置３０において転写されたトナーをシートに定着させる定着処理が、各々施される。その後、該シートは、シート排出口１２から排紙トレイ１１上に排紙される。一方、シートに両面印刷処理が行われる場合、シートの片面に対して転写処理及び定着処理が施された後、該シートは、シート排出口１２から排紙トレイ１１上に一部が排紙される。その後、該シートはスイッチバック搬送され、反転搬送路Ｐ２を経て、メイン搬送路Ｐ１の上流端付近に戻される。しかる後、シートの他面に対して転写処理及び定着処理が施され、該シートは、シート排出口１２から排紙トレイ１１上に排紙される。
【００３７】
次に、本実施形態に係る光走査装置２３について、更に詳述する。図２は、本発明の一実施形態に係る光走査装置２３の概略構成を示す斜視図である。また、図３は光走査装置２３の副走査断面の構成を示す光路図であり、図４は光走査装置２３の主走査断面の構成を示す光路図である。また、図５は、本発明の一実施形態に係る光偏向装置６の概略構成を示す斜視図である。なお、以下の説明では、図５を参照して、光偏向装置６に備えられる長尺の基板６１が延びる方向を「長手方向Ａ１」と称し、光偏向装置６に備えられる駆動モーター６２の回転軸６２２が延びる方向を「軸方向Ａ２」と称し、長手方向Ａ１と交差し且つ軸方向Ａ２と直交する方向を「第１方向Ａ３」と称し、軸方向Ａ２及び第１方向Ａ３の両方向と直交する方向を「第２方向Ａ４」と称し、長手方向Ａ１及び軸方向Ａ２の両方向と直交する方向を「第３方向Ａ５」と称する。また、本体ハウジング１０内の、画像形成ユニット２Ｙ、２Ｃ、２Ｍ、２Ｂｋ及び中間転写ユニット２８の下方側に水平に配置される光走査装置２３において、軸方向Ａ２は上下方向に一致し、第１方向Ａ３は周回する転写ベルト２８１の移動方向となる前後方向に一致し、第２方向Ａ４は感光体ドラム２１の回転軸方向となる左右方向に一致する。長手方向Ａ１及び第３方向Ａ５は、第１方向Ａ３及び第２方向Ａ４に対して略４５度で交差する方向となる。また、上下方向と一致する軸方向Ａ２において、上下方向の上方側を「一方側」と称し、上下方向の下方側を「他方側」と称する。前後方向と一致する第１方向Ａ３において、前後方向の前方側を「一方側」と称し、前後方向の後方側を「他方側」と称する。左右方向と一致する第２方向Ａ４において、左右方向の右方側を「一方側」と称し、左右方向の左方側を「他方側」と称する。
【００３８】
光走査装置２３は、イエロー画像描画用のレーザー光線であるイエロー光線ＬＹ、シアン画像描画用のレーザー光線であるシアン光線ＬＣ、マゼンタ画像描画用のレーザー光線であるマゼンタ光線ＬＭ、及び、ブラック画像描画用のレーザー光線であるブラック光線ＬＢｋにて各々、イエロー用の第１感光体ドラム２１Ｙ、シアン用の第２感光体ドラム２１Ｃ、マゼンタ用の第３感光体ドラム２１Ｍ及びブラック用の第４感光体ドラム２１Ｂｋのドラム周面２１１を走査する。
【００３９】
光走査装置２３は、各色の光線の光路に各々配置される入射光学系５と、４色で共用される１つの光偏向装置６と、第１走査レンズ７１と、第２走査レンズ７２Ｙ、７２Ｃ、７２Ｍ、７２Ｂｋと、イエロー光線ＬＹを反射させるイエロー用反射ミラー７３Ｙ１、７３Ｙ２と、シアン光線ＬＣを反射させるシアン用反射ミラー７３Ｃ１、７３Ｃ２と、マゼンタ光線ＬＭを反射させるマゼンタ用反射ミラー７３Ｍ１、７３Ｍ２、７３Ｍ３と、ブラック光線ＬＢｋを反射させるブラック用反射ミラー７３Ｂｋと、これらを収容する光学ハウジング４とを含む。第１走査レンズ７１と、第２走査レンズ７２Ｙ、７２Ｃ、７２Ｍ、７２Ｂｋと、イエロー用反射ミラー７３Ｙ１、７３Ｙ２と、シアン用反射ミラー７３Ｃ１、７３Ｃ２と、マゼンタ用反射ミラー７３Ｍ１、７３Ｍ２、７３Ｍ３と、ブラック用反射ミラー７３Ｂｋとによって、結像光学系が構成される。
【００４０】
光学ハウジング４は、略直方体のハウジングであり、光偏向装置６が収容される領域となる光偏向装置収容部４１を含む。光学ハウジング４において、光偏向装置収容部４１は、光偏向装置６が載置される載置面４１１を有する。
【００４１】
また、光学ハウジング４は、結像光学系が配置される領域として、第１乃至第８配置領域４２〜４９を有する。光学ハウジング４において、第１配置領域４２は、光偏向装置収容部４１に対して第１方向Ａ３の他方側（前後方向後方側）の領域である。第２配置領域４３は、光偏向装置収容部４１に対して軸方向Ａ２の一方側（上下方向上方側）の領域である。第３配置領域４４は、第１配置領域４２に対して軸方向Ａ２の一方側且つ第１方向Ａ３の他方側の領域である。第４配置領域４５は、第３配置領域４４に対して第１方向Ａ３の他方側の領域である。第５配置領域４６は、第４配置領域４５に対して軸方向Ａ２の他方側（上下方向下方側）且つ第１方向Ａ３の他方側の領域である。第６配置領域４７は、第３配置領域４４に対して軸方向Ａ２の他方側の領域である。第７配置領域４８は、第４配置領域４５に対して軸方向Ａ２の他方側の領域である。第８配置領域４９は、第４配置領域４５に対して軸方向Ａ２の他方側であり、且つ第１方向Ａ３に関して第７配置領域４８と第５配置領域４６との間の領域である。
【００４２】
入射光学系５は、光学ハウジング４内に収容され、各色の光線を後述のポリゴンミラー６３の周面である偏向面６３１に入射させるための光学系である。入射光学系５は、光源５１と、コリメータレンズ５２と、シリンドリカルレンズ５３とを含む。光源５１は、レーザー素子からなり、ポリゴンミラー６３の偏向面６３１に照射する光線を出射する。コリメータレンズ５２は、光源５１から出射されて拡散する光線を平行光に変換する。シリンドリカルレンズ５３は、コリメータレンズ５２による平行光を第２方向Ａ４に長い線状光に変換してポリゴンミラー６３の偏向面６３１に結像させる。なお、第２方向Ａ４は、前述の如く感光体ドラム２１の回転軸方向となる左右方向と一致する方向であり、光走査装置２３による感光体ドラム２１に対する走査の主走査方向と一致する。
【００４３】
第１走査レンズ７１は、入射光線の角度と像高とが比例関係となる歪曲収差（ｆθ特性）を有するレンズであって、第２方向Ａ４（主走査方向）に沿って延びる長尺のレンズである。第１走査レンズ７１は、光学ハウジング４内において、後述のポリゴンミラー６３の偏向面６３１に対向するように、第１配置領域４２に配置されている。第１走査レンズ７１は、ポリゴンミラー６３の偏向面６３１によって反射された光線を集光する。
【００４４】
第２走査レンズ７２Ｙは、第１走査レンズ７１と同様に、歪曲収差（ｆθ特性）を有するレンズであって、第２方向Ａ４（主走査方向）に沿って延びる長尺のレンズである。第２走査レンズ７２Ｙは、光学ハウジング４内において、第２配置領域４３に配置されている。第２走査レンズ７２Ｙは、第１走査レンズ７１を通過したイエロー光線ＬＹを集光し、第１感光体ドラム２１Ｙのドラム周面２１１上に結像させる。
【００４５】
第２走査レンズ７２Ｃは、第１走査レンズ７１と同様に、歪曲収差（ｆθ特性）を有するレンズであって、第２方向Ａ４（主走査方向）に沿って延びる長尺のレンズである。第２走査レンズ７２Ｃは、光学ハウジング４内において、第３配置領域４４に配置されている。第２走査レンズ７２Ｃは、第１走査レンズ７１を通過したシアン光線ＬＣを集光し、第２感光体ドラム２１Ｃのドラム周面２１１上に結像させる。
【００４６】
第２走査レンズ７２Ｍは、第１走査レンズ７１と同様に、歪曲収差（ｆθ特性）を有するレンズであって、第２方向Ａ４（主走査方向）に沿って延びる長尺のレンズである。第２走査レンズ７２Ｍは、光学ハウジング４内において、第４配置領域４５に配置されている。第２走査レンズ７２Ｍは、第１走査レンズ７１を通過したマゼンタ光線ＬＭを集光し、第３感光体ドラム２１Ｍのドラム周面２１１上に結像させる。
【００４７】
第２走査レンズ７２Ｂｋは、第１走査レンズ７１と同様に、歪曲収差（ｆθ特性）を有するレンズであって、第２方向Ａ４（主走査方向）に沿って延びる長尺のレンズである。第２走査レンズ７２Ｂｋは、光学ハウジング４内において、第５配置領域４６に配置されている。第２走査レンズ７２Ｂｋは、第１走査レンズ７１を通過したブラック光線ＬＢｋを集光し、第４感光体ドラム２１Ｂｋのドラム周面２１１上に結像させる。
【００４８】
イエロー用反射ミラー７３Ｙ１、７３Ｙ２は、第１走査レンズ７１を通過したイエロー光線ＬＹの結像光路上において、イエロー光線ＬＹを反射させる。光学ハウジング４内において、イエロー用反射ミラー７３Ｙ１は第６配置領域４７に配置され、イエロー用反射ミラー７３Ｙ２は第２配置領域４３に配置されている。
【００４９】
シアン用反射ミラー７３Ｃ１、７３Ｃ２は、第１走査レンズ７１を通過したシアン光線ＬＣの結像光路上において、シアン光線ＬＣを反射させる。光学ハウジング４内において、シアン用反射ミラー７３Ｃ１は第７配置領域４８に配置され、シアン用反射ミラー７３Ｃ２は第３配置領域４４に配置されている。
【００５０】
マゼンタ用反射ミラー７３Ｍ１、７３Ｍ２、７３Ｍ３は、第１走査レンズ７１を通過したマゼンタ光線ＬＭの結像光路上において、マゼンタ光線ＬＭを反射させる。光学ハウジング４内において、マゼンタ用反射ミラー７３Ｍ１は第８配置領域４９に配置され、マゼンタ用反射ミラー７３Ｍ２、７３Ｍ３は第４配置領域４５に配置されている。
【００５１】
図３を参照して、ポリゴンミラー６３の偏向面６３１によって反射されたイエロー光線ＬＹは、第１走査レンズ７１にて集光された後、イエロー用反射ミラー７３Ｙ１にて反射されて第２走査レンズ７２Ｙを通過し、その後イエロー用反射ミラー７３Ｙ２にて反射されて第１感光体ドラム２１Ｙのドラム周面２１１上に結像される。ポリゴンミラー６３の偏向面６３１によって反射されたシアン光線ＬＣは、第１走査レンズ７１にて集光された後、シアン用反射ミラー７３Ｃ１にて反射されて第２走査レンズ７２Ｃを通過し、その後シアン用反射ミラー７３Ｃ２にて反射されて第２感光体ドラム２１Ｃのドラム周面２１１上に結像される。ポリゴンミラー６３の偏向面６３１によって反射されたマゼンタ光線ＬＭは、第１走査レンズ７１にて集光された後、マゼンタ用反射ミラー７３Ｍ１、７３Ｍ２にて反射されて第２走査レンズ７２Ｍを通過し、その後マゼンタ用反射ミラー７３Ｍ３にて反射されて第３感光体ドラム２１Ｍのドラム周面２１１上に結像される。ポリゴンミラー６３の偏向面６３１によって反射されたブラック光線ＬＢｋは、第１走査レンズ７１及び第２走査レンズ７２Ｂｋにて集光された後、ブラック用反射ミラー７３Ｂｋにて反射されて第４感光体ドラム２１Ｂｋのドラム周面２１１上に結像される。
【００５２】
次に、図２及び図５並びに図６乃至図１２を参照して、光偏向装置６について詳述する。図６は光偏向装置６の断面図であり、図７は光偏向装置６を軸方向Ａ２の一方側から見た図であり、図８は光偏向装置６を軸方向Ａ２の他方側から見た図である。また、図９は、光偏向装置６においてカバー体６５を取り除いた状態を示す斜視図である。また、図１０は光偏向装置６を長手方向Ａ１の他方側から見た図であり、図１１は光偏向装置６を長手方向Ａ１の一方側から見た図であり、図１２は光偏向装置６を第３方向Ａ５の一方側から見た図である。
【００５３】
光偏向装置６は、光学ハウジング４における光偏向装置収容部４１の載置面４１１上に載置される。光偏向装置６は、基板６１と、駆動モーター６２と、ポリゴンミラー６３と、ドライバＩＣ６４１と、コンデンサ６４２と、コネクター６４３と、カバー体６５と、温度検出部６６と、を備える。
【００５４】
図５及び図９を参照して、基板６１は、貫通孔６１１を有し、長手方向Ａ１に沿って所定長さを有する矩形板状の回路基板である。基板６１は、光学ハウジング４における光偏向装置収容部４１の載置面４１１に固定されている。駆動モーター６２は、モーター本体６２１と回転軸６２２とを含む。駆動モーター６２において回転軸６２２は、モーター本体６２１から突出して基板６１の一主面に垂直な軸方向Ａ２に延び、貫通孔６１１に回転可能に挿通されている。駆動モーター６２は、モーター本体６２１に駆動電流が入力されると、回転軸６２２が軸心回りに回転するように構成されている。駆動モーター６２は、光学ハウジング４における光偏向装置収容部４１の載置面４１１に固定されている。
【００５５】
ポリゴンミラー６３は、正六角形の各辺に沿って６つの偏向面６３１が形成された多面鏡である。ポリゴンミラー６３において、偏向面６３１には、入射光学系５の光源５１から出射された光線が照射される。ポリゴンミラー６３は、回転軸６２２の軸方向Ａ２の一方側の端部に、回転一体に設けられる。ポリゴンミラー６３は、回転軸６２２の回転に連動して、当該回転軸６２２回りに回転しながら偏向面６３１に照射される光線を偏向し、感光体ドラム２１に対して走査する。
【００５６】
ドライバＩＣ６４１は、駆動モーター６２の駆動を制御する電子部品である。ドライバＩＣ６４１は、基板６１の一主面において貫通孔６１１から長手方向Ａ１の一方側に離間した領域に実装される。ドライバＩＣ６４１は、モーター本体６２１に対して駆動電流を供給する。コンデンサ６４２は、ドライバＩＣ６４１に入力される制御電流などを整流する電子部品である。コンデンサ６４２は、基板６１の一主面においてドライバＩＣ６４１よりも長手方向Ａ１の一方側の領域に実装される。コネクター６４３は、画像形成装置１における画像形成動作を制御する制御系と電気的に接続され、当該制御系から入力される制御信号を光偏向装置６内に受け入れる。コネクター６４３は、基板６１の一主面においてコンデンサ６４２に隣接した領域に実装される。
【００５７】
カバー体６５は、ポリゴンミラー６３及び駆動モーター６２を覆うカバーであり、光学ハウジング４における光偏向装置収容部４１の載置面４１１に固定されている。カバー体６５は、ポリゴンミラー６３の回転に伴って生じる風切り音による騒音を抑止するとともに、ポリゴンミラー６３に粉塵等が付着することを抑止する機能を有する。カバー体６５は、第１カバー部６５１と第２カバー部６５２と第３カバー部６５７とを含む。
【００５８】
第１カバー部６５１は、ポリゴンミラー６３を軸方向Ａ２の一方側（上下方向上方側）から覆い、カバー体６５においてポリゴンミラー６３が配設される第１空間Ｓ１を画定する。この第１カバー部６５１には、ポリゴンミラー６３の偏向面６３１に対向して開口した第１開口部６５１Ｃが形成されている。具体的には、第１カバー部６５１は、天壁部６５１Ａと周壁部６５１Ｂとを含む。第１カバー部６５１において、天壁部６５１Ａは、円板状の壁部であり、光学ハウジング４における光偏向装置収容部４１の載置面４１１と平行に、軸方向Ａ２の一方側に配置される。周壁部６５１Ｂは、天壁部６５１Ａの外周端縁から軸方向Ａ２の他方側（上下方向下方側）に向かって延びる円筒状の壁部である。第１カバー部６５１において、周壁部６５１Ｂに第１開口部６５１Ｃが形成されている。第１開口部６５１Ｃは、周壁部６５１Ｂの周方向に沿って長穴状に形成される。第１開口部６５１Ｃは、入射光学系５の光源５１から出射された光線をカバー体６５の内部に導くとともに、ポリゴンミラー６３の偏向面６３１により偏向された光線をカバー体６５の外部に導く開口部としての機能を有する。また、第１開口部６５１Ｃは、ポリゴンミラー６３の回転により生じる気流が通過する開口部としての機能も有する。
【００５９】
第２カバー部６５２は、第１カバー部６５１の軸方向Ａ２の他方側において、第１カバー部６５１の第１空間Ｓ１と連通し駆動モーター６２が配設される第２空間Ｓ２を画定する。この第２カバー部６５２には、駆動モーター６２のモーター本体６２１に対向して開口した第２開口部６５６Ａが形成されている。第２開口部６５６Ａは、ポリゴンミラー６３の回転により生じる気流が通過する開口部としての機能を有する。
【００６０】
本実施形態では、第２カバー部６５２は、第１延在部６５３と第２延在部６５４とを含む。第２カバー部６５２において、第１延在部６５３は、第１カバー部６５１から、基板６１の長手方向Ａ１と交差し且つ軸方向Ａ２と直交する第１方向Ａ３の一方側（前後方向前方側）に延在する部分である。第２カバー部６５２において、第２延在部６５４は、第１カバー部６５１から、軸方向Ａ２及び第１方向Ａ３の両方向と直交する第２方向Ａ４（左右方向）に延在する部分である。この場合、第２開口部６５６Ａは、第１延在部６５３と第２延在部６５４とにわたって形成されている。
【００６１】
更に、第２カバー部６５２において、第２延在部６５４は、第１部分６５４Ａと第２部分６５４Ｂとを有する。第２延在部６５４において、第１部分６５４Ａは、第１カバー部６５１から第２方向Ａ４の一方側（左右方向右方側）に延びる部分である。また、第２延在部６５４において、第２部分６５４Ｂは、第１カバー部６５１から第２方向Ａ４の他方側（左右方向左方側）に延びる部分である。第２延在部６５４において、第１部分６５４Ａと第２部分６５４Ｂとは、一体的に形成されている。この場合、第２開口部６５６Ａは、第１延在部６５３と、第２延在部６５４における第１部分６５４Ａとにわたって形成されている。
【００６２】
また、本実施形態では、第２カバー部６５２には、第２開口部６５６Ａとは別の第３開口部６５６Ｂが形成されている。第３開口部６５６Ｂは、駆動モーター６２のモーター本体６２１に対向して開口した開口部であり、第１延在部６５３と、第２延在部６５４における第２部分６５４Ｂとにわたって形成されている。第３開口部６５６Ｂは、ポリゴンミラー６３の回転により生じる気流が通過する開口部としての機能を有する。
【００６３】
上記の第２カバー部６５２について、より詳細に説明する。第２カバー部６５２において、第１延在部６５３は、第１壁部６５３Ａと第２壁部６５３Ｂとを含む。第１延在部６５３において、第１壁部６５３Ａは、第１カバー部６５１の周壁部６５１Ｂにおける軸方向Ａ２の他方側の周端縁の一部の第１端縁部６５１Ｂ１から第１方向Ａ３の一方側に、光学ハウジング４における光偏向装置収容部４１の載置面４１１と平行に延びる、略矩形板状の壁部である。第１壁部６５３Ａは、第１カバー部６５１の周壁部６５１Ｂにおける第１端縁部６５１Ｂ１から第１方向Ａ３の一方側に向かって延びる一対の第１縁辺６５３Ａ１及び第２縁辺６５３Ａ２と、第１縁辺６５３Ａ１と第２縁辺６５３Ａ２とを連結する第３縁辺６５３Ａ３と、を有する。
【００６４】
第１延在部６５３において、第２壁部６５３Ｂは、第１壁部６５３Ａの第３縁辺６５３Ａ３から軸方向Ａ２の他方側に延びる、略矩形板状の壁部である。第２壁部６５３Ｂは、第４縁辺６５３Ｂ１と、第５縁辺６５３Ｂ２と、第６縁辺６５３Ｂ３とを有する。第２壁部６５３Ｂの第４縁辺６５３Ｂ１は、第３縁辺６５３Ａ３の第１縁辺６５３Ａ１との連結部分から軸方向Ａ２の他方側に向かって延びる縁辺である。第２壁部６５３Ｂの第５縁辺６５３Ｂ２は、第３縁辺６５３Ａ３の第２縁辺６５３Ａ２との連結部分から軸方向Ａ２の他方側に向かって延びる縁辺である。第２壁部６５３Ｂの第６縁辺６５３Ｂ３は、第４縁辺６５３Ｂ１と第５縁辺６５３Ｂ２とを連結する縁辺である。また、第２壁部６５３Ｂには、第１固定突片６５３Ｃが設けられている。第１固定突片６５３Ｃは、第２壁部６５３Ｂの第６縁辺６５３Ｂ３から第１方向Ａ３の一方側に向かって突設される。この第１固定突片６５３Ｃは、ハウジング４における光偏向装置収容部４１の載置面４１１に、固定部材６５９によって固定されている。
【００６５】
第２カバー部６５２において、第１部分６５４Ａと第２部分６５４Ｂとを有する第２延在部６５４は、第３壁部６５５Ａと、第４壁部６５５Ｂと、第５壁部６５５Ｄとを含む。第２延在部６５４の第３壁部６５５Ａは、第１カバー部６５１の周壁部６５１Ｂにおける軸方向Ａ２の他方側の周端縁において、前記第１端縁部６５１Ｂ１以外の第２端縁部６５１Ｂ２から、第２方向Ａ４に、光学ハウジング４における光偏向装置収容部４１の載置面４１１と平行に延びる、板状の壁部である。第３壁部６５５Ａは、第７縁辺６５５Ａ１と、第８縁辺６５５Ａ２と、第９縁辺６５５Ａ３と、第１０縁辺６５５Ａ４と、第１１縁辺６５５Ａ５とを有する。第３壁部６５５Ａの第７縁辺６５５Ａ１は、第１カバー部６５１の周壁部６５１Ｂにおける第２端縁部６５１Ｂ２から第２方向Ａ４の一方側に向かって延びる縁辺である。第３壁部６５５Ａの第８縁辺６５５Ａ２は、第２端縁部６５１Ｂ２から第２方向Ａ４の他方側に向かって延びる縁辺である。第３壁部６５５Ａの第９縁辺６５５Ａ３は、第７縁辺６５５Ａ１と連結し、基板６１の長手方向Ａ１の他方側に向かって延びる縁辺である。第３壁部６５５Ａの第１０縁辺６５５Ａ４は、第８縁辺６５５Ａ２と連結し第３方向Ａ５の他方側に向かって延びる縁辺である。第３壁部６５５Ａの第１１縁辺６５５Ａ５は、第９縁辺６５５Ａ３と第１０縁辺６５５Ａ４とを連結する縁辺である。
【００６６】
第２延在部６５４の第４壁部６５５Ｂは、第３壁部６５５Ａの第９縁辺６５５Ａ３から軸方向Ａ２の他方側に延びる、略矩形板状の壁部である。第４壁部６５５Ｂは、第１２縁辺６５５Ｂ１と、第１３縁辺６５５Ｂ２と、第１４縁辺６５５Ｂ３とを有する。第４壁部６５５Ｂの第１２縁辺６５５Ｂ１は、第９縁辺６５５Ａ３の第７縁辺６５５Ａ１との連結部分から軸方向Ａ２の他方側に向かって延びる縁辺である。第４壁部６５５Ｂの第１３縁辺６５５Ｂ２は、第９縁辺６５５Ａ３の第１１縁辺６５５Ａ５との連結部分から軸方向Ａ２の他方側に向かって延びる縁辺である。第４壁部６５５Ｂの第１４縁辺６５５Ｂ３は、第１２縁辺６５５Ｂ１と第１３縁辺６５５Ｂ２とを連結する縁辺である。また、第４壁部６５５Ｂには、第２固定突片６５５Ｃが設けられている。第２固定突片６５５Ｃは、第４壁部６５５Ｂの第１４縁辺６５５Ｂ３から第３方向Ａ５の他方側に向かって突設される。この第２固定突片６５５Ｃは、ハウジング４における光偏向装置収容部４１の載置面４１１に、固定部材６５９によって固定されている。
【００６７】
第２延在部６５４の第５壁部６５５Ｄは、第３壁部６５５Ａの第１０縁辺６５５Ａ４から軸方向Ａ２の他方側に延びる、略矩形板状の壁部である。第５壁部６５５Ｄは、第１５縁辺６５５Ｄ１と、第１６縁辺６５５Ｄ２と、第１７縁辺６５５Ｄ３とを有する。第５壁部６５５Ｄの第１５縁辺６５５Ｄ１は、第１０縁辺６５５Ａ４の第８縁辺６５５Ａ２との連結部分から軸方向Ａ２の他方側に向かって延びる縁辺である。第５壁部６５５Ｄの第１６縁辺６５５Ｄ２は、第１０縁辺６５５Ａ４の第１１縁辺６５５Ａ５との連結部分から軸方向Ａ２の他方側に向かって延びる縁辺である。第５壁部６５５Ｄの第１７縁辺６５５Ｄ３は、第１５縁辺６５５Ｄ１と第１６縁辺６５５Ｄ２とを連結する縁辺である。また、第５壁部６５５Ｄには、第３固定突片６５５Ｅが設けられている。第３固定突片６５５Ｅは、第５壁部６５５Ｄの第１７縁辺６５５Ｄ３から基板６１の長手方向Ａ１の他方側に向かって突設される。この第３固定突片６５５Ｅは、ハウジング４における光偏向装置収容部４１の載置面４１１に、固定部材６５９によって固定されている。
【００６８】
以上のように構成される第２カバー部６５２において、第２開口部６５６Ａは、第１壁部６５３Ａの第１縁辺６５３Ａ１と、第２壁部６５３Ｂの第４縁辺６５３Ｂ１と、第３壁部６５５Ａの第７縁辺６５５Ａ１と、第４壁部６５５Ｂの第１２縁辺６５５Ｂ１とによって構成される。第２開口部６５６Ａにおいて、互いに対向する一対の開口端縁は、第２壁部６５３Ｂの第４縁辺６５３Ｂ１と第４壁部６５５Ｂの第１２縁辺６５５Ｂ１とによって画定され、当該一対の開口端縁同士を連結する連結開口端縁は、第１壁部６５３Ａの第１縁辺６５３Ａ１と第３壁部６５５Ａの第７縁辺６５５Ａ１とによって画定される。
【００６９】
また、第２カバー部６５２において、第３開口部６５６Ｂは、第１壁部６５３Ａの第２縁辺６５３Ａ２と、第２壁部６５３Ｂの第５縁辺６５３Ｂ２と、第３壁部６５５Ａの第８縁辺６５５Ａ２と、第５壁部６５５Ｄの第１５縁辺６５５Ｄ１とによって構成される。第３開口部６５６Ｂにおいて、互いに対向する一対の開口端縁は、第２壁部６５３Ｂの第５縁辺６５３Ｂ２と第５壁部６５５Ｄの第１５縁辺６５５Ｄ１とによって画定され、当該一対の開口端縁同士を連結する連結開口端縁は、第１壁部６５３Ａの第２縁辺６５３Ａ２と第３壁部６５５Ａの第８縁辺６５５Ａ２とによって画定される。
【００７０】
カバー体６５において、第３カバー部６５７は、第２カバー部６５２の第２空間Ｓ２と連通する第３空間Ｓ３を画定する部分である。本実施形態では、第３カバー部６５７は、第２カバー部６５２における第１延在部６５３の軸方向Ａ２の一方側に配置されて、第２カバー部６５２の第２空間Ｓ２と連通する第３空間Ｓ３を画定する。
【００７１】
具体的には、第２カバー部６５２の第１延在部６５３には、軸方向Ａ２の一方側に開口した第４開口部６５６Ｃが形成されている。第３カバー部６５７は、第６壁部６５７Ａを含む。第３カバー部６５７において、第６壁部６５７Ａは、第１延在部６５３の第４開口部６５６Ｃを囲繞するように第４開口部６５６Ｃの開口端縁から軸方向Ａ２の一方側に向かって延びる筒状の壁部である。このような第３カバー部６５７は、軸方向Ａ２の一方側の端部に第５開口部６５７Ｂを有し、第４開口部６５６Ｃを介して第２カバー部６５２の第２空間Ｓ２と連通する第３空間Ｓ３を画定するように構成される。
【００７２】
更に、本実施形態の光偏向装置６では、第３空間Ｓ３を塞ぐように第３カバー部６５７に、温度検出部６６が装着されている。温度検出部６６は、カバー体６５の内部温度を検出する。
【００７３】
また、図１０を参照して、カバー体６５において駆動モーター６２が配設される第２空間Ｓ２を画定する第２カバー部６５２には、第１カバー部６５１の第１開口部６５１Ｃに対する直下の位置に、第６開口部６５８が形成されている。第２カバー部６５２における第６開口部６５８は、第３壁部６５５Ａの第１１縁辺６５５Ａ５と、第４壁部６５５Ｂの第１３縁辺６５５Ｂ２と、第５壁部６５５Ｄの第１６縁辺６５５Ｄ２とによって画定される。この第６開口部６５８は、駆動モーター６２から発せられる熱をカバー体６５の外部に放熱するための開口部である。
【００７４】
上述の如くに構成される光偏向装置６では、ポリゴンミラー６３及び駆動モーター６２は、カバー体６５によって覆われており、このカバー体６５の内部温度を温度検出部６６にて検出するようになっている。温度検出部６６が装着される第３カバー部６５７の第３空間Ｓ３は、駆動モーター６２が配設される第２空間Ｓ２と連通しているので、駆動モーター６２の発熱によって第２空間Ｓ２内の温度変化が発生する時点と、温度検出部６６にて第３空間Ｓ３内の温度変化が検出される時点とで、時間差が生じることが抑止される。このため、駆動モーター６２の発熱による駆動モーター６２周囲の温度変化の検出の高い応答性を実現できる。
【００７５】
また、カバー体６５の第１カバー部６５１には第１開口部６５１Ｃが形成され、第２カバー部６５２には第２開口部６５６Ａが形成されている。光偏向装置６においてポリゴンミラー６３が回転すると、カバー体６５の外側にある空気が第１開口部６５１Ｃ及び第２開口部６５６Ａのいずれか一方の開口部からカバー体６５の内部に流入し、他方の開口部からカバー体６５の外部に排出される。すなわち、ポリゴンミラー６３の回転により生じる気流は、カバー体６５の内部において、第１カバー部６５１により画定される第１空間Ｓ１、第２カバー部６５２により画定される第２空間Ｓ２、及び第３カバー部６５７により画定される第３空間Ｓ３を通過することになる。ここで、第３空間Ｓ３を塞ぐように温度検出部６６が第３カバー部６５７に装着されているので、ポリゴンミラー６３の回転により生じる気流は、第１開口部６５１Ｃが形成された第１カバー部６５１の第１空間Ｓ１と、第２開口部６５６Ａが形成された第２カバー部６５２の第２空間Ｓ２との間を主として通過し、第３カバー部６５７の第３空間Ｓ３には流速の遅い微弱な気流が通過する。このように、第３カバー部６５７の第３空間Ｓ３には、流速が過度に速すぎることのない微弱な気流が通過し、且つ第３空間Ｓ３内に気体の滞留が生じない。このため、第３カバー部６５７に装着された温度検出部６６によって検出されるカバー体６５の内部温度の検出精度は、高精度に維持される。
【００７６】
また、軸方向Ａ２から見た平面視において、温度検出部６６は、第２開口部６５６Ａと第３開口部６５６Ｂとの間に配置されていることが望ましい。このような構成によって、ポリゴンミラー６３の回転により生じる気流が第２カバー部６５２の第２開口部６５６Ａ及び第３開口部６５６Ｂを通過するときに、流速が過度に速すぎることのない微弱な気流が温度検出部６６に確実に接触する。これによって、温度検出部６６によって検出されるカバー体６５の内部温度の検出精度は、より確実に高精度に維持される。
【００７７】
更にまた、図８を参照して、温度検出部６６は、熱伝導性を有する板状の基体６６１と、基体６６１の一主面に取り付けられる温度検出センサ６６２とを含む。そして、温度検出部６６は、温度検出センサ６６２が第３空間Ｓ３内に配置されるように、第３カバー部６５７に装着される。温度検出センサ６６２は、例えばサーミスタ等により実現される。温度検出センサ６６２としてのサーミスタは、その抵抗値が温度によって変化するので、駆動モーター６２の周囲の温度が変化すると、温度検出部６６の出力電圧が変化する。温度検出部６６は、温度検出センサ６６２としてのサーミスタによる出力電圧を、温度検出部６６によって検出された温度データとして、出力する。このような構成によって、駆動モーター６２の発熱による駆動モーター６２周囲の温度変化を、基体６６１に取り付けられた温度検出センサ６６２により高精度に検出しつつ、当該温度変化の検出の高い応答性を実現できる。
【００７８】
上記では、ポリゴンミラー６３を回転させる駆動モーター６２の発熱による駆動モーター６２周囲の温度変化を検出可能に構成される光偏向装置６について、説明した。ポリゴンミラー６３を回転させる場合、駆動モーター６２のみならず、駆動モーター６２の駆動を制御するドライバＩＣ６４１も発熱することになる。そこで、光偏向装置６は、ドライバＩＣ６４１を冷却可能に構成される必要がある。ポリゴンミラー６３の回転により生じる気流を利用してドライバＩＣ６４１を冷却する構成について、以下に説明する。
【００７９】
本実施形態の光偏向装置６では、図１１を参照して、基板６１の長手方向Ａ１から第２開口部６５６Ａを見たときに、ドライバＩＣ６４１は、第２開口部６５６Ａの開口領域に含まれるように配置されている。換言すると、第２開口部６５６Ａにおいて、互いに対向する一対の開口端縁となる、第２壁部６５３Ｂの第４縁辺６５３Ｂ１と、第４壁部６５５Ｂの第１２縁辺６５５Ｂ１とは、長手方向Ａ１から見たときに、ドライバＩＣ６４１を挟んで互いに対向している。
【００８０】
図１３は、光偏向装置６における気流の様子を示す図である。上述の如くに構成される光偏向装置６では、ポリゴンミラー６３及び駆動モーター６２は、第１開口部６５１Ｃが形成された第１カバー部６５１と第２開口部６５６Ａが形成された第２カバー部６５２とを含むカバー体６５によって覆われている。光偏向装置６においてポリゴンミラー６３が回転すると、カバー体６５の外側にある空気が第１開口部６５１Ｃ及び第２開口部６５６Ａのいずれか一方の開口部からカバー体６５の内部に流入し、他方の開口部からカバー体６５の外部に排出される。すなわち、ポリゴンミラー６３の回転により生じる気流は、カバー体６５の第１開口部６５１Ｃ及び第２開口部６５６Ａを通過することになる。
【００８１】
ここで、カバー体６５の第２カバー部６５２に形成された第２開口部６５６Ａは、上述の如く、第１壁部６５３Ａの第１縁辺６５３Ａ１と、第２壁部６５３Ｂの第４縁辺６５３Ｂ１と、第３壁部６５５Ａの第７縁辺６５５Ａ１と、第４壁部６５５Ｂの第１２縁辺６５５Ｂ１とによって構成される。この第２開口部６５６Ａは、駆動モーター６２のモーター本体６２１に対向して開口する開口部である。更に、基板６１の長手方向Ａ１から見たときに、第２開口部６５６Ａにおいて、第２壁部６５３Ｂの第４縁辺６５３Ｂ１と、第４壁部６５５Ｂの第１２縁辺６５５Ｂ１とは、ドライバＩＣ６４１を挟んで互いに対向している。すなわち、長手方向Ａ１から見たときに、ドライバＩＣ６４１は、第２開口部６５６Ａの開口領域に含まれるように配置されている。このため、ポリゴンミラー６３の回転に伴って第２開口部６５６Ａを通過する気流は、図１３に示されるように、ドライバＩＣ６４１の直上でその流れ方向が変化することなく、基板６１の長手方向Ａ１に沿って流れて、ドライバＩＣ６４１の表面上を拡散して通過する。この結果、ドライバＩＣ６４１の表面上を通過する気流の流速の低下が抑止され、ポリゴンミラー６３の回転により生じる気流を利用して、ポリゴンミラー６３の回転に伴って発熱したドライバＩＣ６４１を効率よく冷却することができる。
【００８２】
また、カバー体６５においてポリゴンミラー６３が配設される第１カバー部６５１に形成された第１開口部６５１Ｃは、ポリゴンミラー６３の偏向面６３１に対向して開口する開口部である。このため、ポリゴンミラー６３の直上に空気吸引用の開口部が設けられた構成と比較して、第１カバー部６５１とポリゴンミラー６３との間の隙間を狭くすることができる。この結果、光偏向装置６の低背化を実現することができる。
【００８３】
また、本実施形態の光偏向装置６において、第２カバー部６５２には、ポリゴンミラー６３の回転により生じる気流を基板６１に実装されたドライバＩＣ６４１に導くための第２開口部６５６Ａ以外に、第３開口部６５６Ｂが形成されている。このような構成の光偏向装置６では、第１カバー部６５１に形成された第１開口部６５１Ｃからの第２カバー部６５２への気流、または第１開口部６５１Ｃへの第２カバー部６５２からの気流は、第２開口部６５６Ａ及び第３開口部６５６Ｂを通過することになる。光偏向装置６は、基板６１以外の第２の基板を備えた構成とする場合がある。この場合、第２の基板を第３開口部６５６Ｂに挿通するように配置すればよい。これによって、ポリゴンミラー６３の回転に伴って第３開口部６５６Ｂを通過する気流を利用して、第２の基板に実装された電子部品を冷却することが可能な構成とすることができる。
【００８４】
また、第２カバー部６５２に第２開口部６５６Ａ及び第３開口部６５６Ｂが形成された構成の光偏向装置６では、上述の如く、第１カバー部６５１に形成された第１開口部６５１Ｃからの第２カバー部６５２への気流、または第１開口部６５１Ｃへの第２カバー部６５２からの気流は、第２開口部６５６Ａ及び第３開口部６５６Ｂを通過する。このため、第２開口部６５６Ａを通過する気流の流速が低下することになる。
【００８５】
そこで、図７に示すように、軸方向Ａ２から第２開口部６５６Ａを見た平面視において、第２開口部６５６Ａは、ドライバＩＣ６４１の中央部分よりも基板６１の長手方向Ａ１の他方側に位置するように構成されることが望ましい。具体的には、第２開口部６５６Ａにおいて、互いに対向する一対の開口端縁同士を連結する連結開口端縁を画定する、第１壁部６５３Ａの第１縁辺６５３Ａ１と第３壁部６５５Ａの第７縁辺６５５Ａ１とが、ドライバＩＣ６４１の中央部分よりも基板６１の長手方向Ａ１の他方側に位置するように、第２開口部６５６Ａを構成することが望ましい。より詳細には、軸方向Ａ２から第２開口部６５６Ａを見た平面視において、第１壁部６５３Ａの第１縁辺６５３Ａ１と第３壁部６５５Ａの第７縁辺６５５Ａ１とが、ドライバＩＣ６４１における、当該ドライバＩＣ６４１の中央部分よりも基板６１の長手方向Ａ１の他方側の領域部分に重なるように、第２開口部６５６Ａを構成することが望ましい。換言すると、ドライバＩＣ６４１の中央部分が第２開口部６５６Ａの第１縁辺６５３Ａ１及び第７縁辺６５５Ａ１よりも基板６１の長手方向Ａ１の一方側に位置し、ドライバＩＣ６４１の中央部分が第２カバー部６５２から外側に露出することになる。このような構成によって、第２カバー部６５２に第３開口部６５６Ｂを形成することに起因した、第２開口部６５６Ａを通過する気流の流速の低下幅を小さくすることができる。このため、第２開口部６５６Ａを介してドライバＩＣ６４１の表面上を通過する気流の流速について、ドライバＩＣにおいて最も高い温度となる中央部分を十分に冷却可能な流速を、確保することができる。
【００８６】
次に、図１４を参照して、光偏向装置６の変形例について説明する。図１４は、変形例の光偏向装置６における気流の様子を示す図である。変形例の光偏向装置６は、上述の光偏向装置６と比較して、カバー体６５における第２カバー部６５２の構成が相違する。上述の光偏向装置６のカバー体６５において、第２カバー部６５２は、第２開口部６５６Ａ及び第３開口部６５６Ｂを含む複数の開口部が形成されるよう構成されていた。これに対し、図１４に示す変形例の光偏向装置６においては、カバー体６５の第２カバー部６５２には、第３開口部６５６Ｂが形成されておらず、第２開口部６５６Ａのみが形成されている。
【００８７】
このような構成の第２カバー部６５２では、軸方向Ａ２から第２開口部６５６Ａを見た平面視において、第２開口部６５６Ａは、ドライバＩＣ６４１の中央部分よりも基板６１の長手方向Ａ１の一方側に位置するように構成される。具体的には、第２開口部６５６Ａの連結開口端縁を画定する、第１壁部６５３Ａの第１縁辺６５３Ａ１と第３壁部６５５Ａの第７縁辺６５５Ａ１とが、ドライバＩＣ６４１の中央部分よりも基板６１の長手方向Ａ１の一方側に位置するように、第２開口部６５６Ａが構成される。より詳細には、軸方向Ａ２から第２開口部６５６Ａを見た平面視において、第１壁部６５３Ａの第１縁辺６５３Ａ１と第３壁部６５５Ａの第７縁辺６５５Ａ１とが、ドライバＩＣ６４１における、当該ドライバＩＣ６４１の中央部分よりも基板６１の長手方向Ａ１の一方側の領域部分に重なるように、第２開口部６５６Ａが構成される。換言すると、ドライバＩＣ６４１の中央部分が第２開口部６５６Ａの第１縁辺６５３Ａ１及び第７縁辺６５５Ａ１よりも基板６１の長手方向Ａ１の他方側に位置し、ドライバＩＣ６４１の中央部分が第２カバー部６５２によって覆われることになる。このような構成によって、第２開口部６５６Ａを通過する気流をドライバＩＣ６４１の中央部分に確実に導くことができる。この結果、ポリゴンミラー６３の回転により生じる気流を利用して、ドライバＩＣ６４１において最も高い温度となる中央部分を確実に冷却することができる。
【００８８】
図１５は、光走査装置２３のブロック図である。駆動モーター６２の周囲の温度変化を検出可能に構成される光偏向装置６を備えた光走査装置２３は、制御部６７を備える。制御部６７は、温度検出部６６によって検出された温度データに基づいて、光走査装置２３における、ポリゴンミラー６３による感光体ドラム２１に対する走査の位置ずれ補正に関する補正動作を制御する。制御部６７は、例えば制御プログラムを記憶するＲＯＭ（Read Only Memory）や一時的にデータを記憶するフラッシュメモリ等の記憶部が内蔵されたマイクロコンピュータからなり、前記制御プログラムが読み出されることにより、補正動作を制御する。
【００８９】
温度検出部６６によって検出された温度データは、制御部６７に入力される。これにより、制御部６７は、温度検出部６６によって検出された温度データが基準となる基準温度よりも高くなっているか否かを判断する。そして、温度検出部６６によって検出された温度データが基準温度よりも高くなっている場合、制御部６７は、ポリゴンミラー６３による感光体ドラム２１に対する走査の位置ずれ補正（以下、単に「色ずれ補正」ということがある）を行う。なお、基準温度とは、画像形成装置１への電源の投入に連動して光走査装置２３に電源が投入されたときのカバー体６５の内部温度であり、外気温度とほぼ一致した温度である。
【００９０】
上述の如く、本実施形態の光走査装置２３は、駆動モーター６２の発熱による駆動モーター６２周囲の温度変化を、温度検出部６６により高精度に検出しつつ、当該温度変化の検出の高い応答性を実現できる。このため、温度検出部６６にて駆動モーター６２周囲の温度変化が検出される以前にポリゴンミラー６３の感光体ドラム２１に対する走査の位置ずれが発生することが抑止され、温度検出部６６により検出された温度データに基づき、効果的な色ずれ補正を行うことができる。
【００９１】
本実施形態では、制御部６７は、光源制御部６７１と、回転駆動制御部６７２と、温度検出制御部６７３と、補正部６７４とを含む。光源制御部６７１は、光源５１によるポリゴンミラー６３に対する光照射動作を制御する。回転駆動制御部６７２は、ポリゴンミラー６３の駆動モーター６２による回転動作を制御する。温度検出制御部６７３は、温度検出部６６による温度検出動作を連続的に実行させるための制御を行う。
【００９２】
補正部６７４は、温度検出部６６によって検出された温度データに基づいて、ポリゴンミラー６３による感光体ドラム２１に対する走査の位置ずれ補正（色ずれ補正）を行う。そして、補正部６７４は、温度検出制御部６７３に制御された温度検出部６６によって、所定の検出期間において検出された温度データに基づいて、色ずれ補正を行うよう構成される。補正部６７４は、前記所定の検出期間において検出された温度データの平均値を算出し、その算出された平均値を用いて色ずれ補正を行う。前記所定の検出期間は、回転駆動制御部６７２の制御によってポリゴンミラー６３の回転が開始されて所定の回転速度に到達した第１時点から、光源制御部６７１の制御によって光源５１の光照射動作が開始される直前の第２時点までの期間を含むことが望ましい。
【００９３】
上記の所定の検出期間においては、ポリゴンミラー６３が所定の回転速度に到達した状態で定格回転しているので、ポリゴンミラー６３の回転により生じる気流が安定した状態となっている。このため、温度検出部６６が装着された第３カバー部６５７の第３空間Ｓ３は、流速が過度に速すぎることのない微弱な気流が安定して通過した状態となる。この結果、温度検出部６６によって検出されるカバー体６５の内部温度の検出精度は、高精度なものとなる。従って、補正部６７４は、温度検出部６６によって検出された高精度な温度データに基づいて、色ずれ補正を行うことができる。
【００９４】
次に、補正部６７４によって実行される色ずれ補正動作について、より具体的に説明する。制御部６７において、補正部６７４は、色ずれ補正動作を実行するとき、記憶部に記憶された色ずれ補正データを用いる。色ずれ補正データは、例えば、基準温度と温度検出部６６の温度検出センサ６６２による検出温度との温度差と、色ずれ補正量とを関連付けてテーブル化したものである。具体的には、基準温度と温度検出センサ６６２による検出温度との温度差が所定温度間隔（例えば、１℃間隔）で複数設定されており、それら複数の温度差のそれぞれに、色ずれを無くすために必要な色ずれ補正量（ポリゴンミラー６３による感光体ドラム２１に対する走査開始位置のずらし量）が関連付けられている。
【００９５】
図１６は、温度検出センサ６６２による検出温度と色ずれ補正量との関係を示すグラフである。図１６に示すように、色ずれ補正データの色ずれ補正量は、基準温度Ｔ０と温度検出センサ６６２による検出温度との温度差が大きくなるにしたがって大きくなっている。従って、補正部６７４は、温度検出センサ６６２による検出温度が基準温度Ｔ０よりも高くなるにしたがって、色ずれ補正量を大きくすることになる。補正部６７４は、温度検出部６６により検出された温度データに基づく色ずれ補正量に応じて、光源制御部６７１に光源５１の光照射動作を制御させて光源５１の発光タイミングを制御し、ポリゴンミラー６３による感光体ドラム２１に対する走査開始位置を１画素単位でずらし、色ずれ補正を行う。
【００９６】
補正部６７４は、画像形成装置１への電源の投入に連動して光走査装置２３に電源が投入された後の任意の時期に色ずれ補正動作をスタートする。例えば、光走査装置２３に電源が投入された後に一定の周期でスタートが繰り返されてもよいし、ユーザーがスタートを指示してもよい。あるいは、画像形成装置１において１枚のシートに印刷を開始したときや連続印刷を開始したときにスタートしてもよい。また、連続印刷を開始したときにスタートする場合、連続印刷が終了するまで色ずれ補正動作が繰り返されてもよい。
【００９７】
色ずれ補正動作を実行する場合、補正部６７４は、まず温度検出部６６により検出された温度データを取得する。次に、補正部６７４は、温度検出部６６により検出された温度データが基準温度Ｔ０よりも高いか否かを判断する。補正部６７４は、温度検出部６６により検出された温度データが基準温度Ｔ０よりも高くなければ、色ずれ補正を行わない。
【００９８】
温度検出部６６により検出された温度データが基準温度Ｔ０よりも高いと判断すると、補正部６７４は、温度データと基準温度Ｔ０との温度差を算出する。そして、補正部６７４は、記憶部に記憶された色ずれ補正データから、算出した温度差と関連付けられた色ずれ補正量を求める。次に、補正部６７４は、求めた色ずれ補正量に基づいて、光源５１の発光タイミングを制御し、色ずれ補正を行う。このようにして、温度検出部６６により検出された温度データに基づき、補正部６７４によって効果的な色ずれ補正を行うことができる。
【符号の説明】
【００９９】
１  画像形成装置
２１  感光体ドラム（像担持体）
２１１  ドラム周面
２３  光走査装置
４  光学ハウジング
４１  光偏向装置収容部
４１１  載置面
５  入射光学系
５１  光源
６  光偏向装置
６１  基板
６１１  貫通孔
６２  駆動モーター
６２１  モーター本体
６２２  回転軸
６３  ポリゴンミラー
６３１  偏向面（周面）
６４１  ドライバＩＣ
６４２  コンデンサ
６４３  コネクター
６５  カバー体
６５１  第１カバー部
６５１Ｃ  第１開口部
６５２  第２カバー部
６５３  第１延在部
６５４  第２延在部
６５４Ａ  第１部分
６５４Ｂ  第２部分
６５６Ａ  第２開口部
６５６Ｂ  第３開口部
６５６Ｃ  第４開口部
６５７  第３カバー部
６５７Ｂ  第５開口部
６５８  第６開口部
６６  温度検出部
６６１  基体
６６２  温度検出センサ
６７  制御部
６７１  光源制御部
６７２  回転駆動制御部
６７３  温度検出制御部
６７４  補正部
Ａ１  第１方向
Ａ２  第２方向
Ａ３  第３方向
Ａ４  第４方向
Ａ５  第５方向
Ｓ１  第１空間
Ｓ２  第２空間
Ｓ３  第３空間
【図１】
0006460035.tif 000002
【図２】
0006460035.tif 000003
【図３】
0006460035.tif 000004
【図４】
0006460035.tif 000005
【図５】
0006460035.tif 000006
【図６】
0006460035.tif 000007
【図７】
0006460035.tif 000008
【図８】
0006460035.tif 000009
【図９】
0006460035.tif 000010
【図１０】
0006460035.tif 000011
【図１１】
0006460035.tif 000012
【図１２】
0006460035.tif 000013
【図１３】
0006460035.tif 000014
【図１４】
0006460035.tif 000015
【図１５】
0006460035.tif 000016
【図１６】
0006460035.tif 000017